(57)【要約】      （修正有）【課題】携帯用電子機器の取り外し作業の作業性を向上できる支持装置を提供する。【解決手段】支持装置１には、台座２と、レバー機構３とが設けられる。台座２は、支持面部２１上に配置された電子機器１００を支持する支持位置と、押圧部２３ａの位置が下がるように動くことによって配置される取外し位置との間を移動可能に支持される。レバー機構３は、台座２の支持位置から取外し位置への移動時に、押圧部２３ａによって押されて下方に移動する被押圧アーム３２と、被押圧アーム３２の下方への移動に起因する支点部３１の回転に連動して上方に移動し、台座２の支持面部２１から突出する突出部４０ａとを有する。【選択図】図４
2010200423.tif 000002
【特許請求の範囲】
【請求項１】
携帯用電子機器が載置可能な支持面を有する台座と、
前記台座の下方に配置されるレバー機構と、を備え、
前記台座は、前記レバー機構を押圧するための押圧部を有し、前記支持面上に配置された前記電子機器を支持する第１の位置と、前記押圧部の位置が下がるように動くことによって配置される第２の位置との間を移動可能に支持され、
前記レバー機構は、
前記押圧部の下に配置され、前記台座の前記第１の位置から前記第２の位置への移動時に、前記押圧部によって押されて下方に移動する被押圧部と、
回転可能に支持され、前記被押圧部の下方への移動に連動して回転する支点部と、
前記支点部の回転に連動して上下動するよう設けられ、前記被押圧部の下方への移動に起因する前記支点部の回転に連動して上方に移動し、前記台座の前記支持面から突出する突出部と、を有する、
ことを特徴とする携帯用電子機器の支持装置。
【請求項２】
請求項１に記載の支持装置において、
前記押圧部は、前記台座の前側に設けられ、
前記台座は、当該台座の前側が下がるように動くことによって前記第２の位置に配置される、
ことを特徴とする携帯用電子機器の支持装置。
【請求項３】
請求項２に記載の支持装置において、
前記支持面から上方に突出するよう配置され、前方に傾斜可能に支持されたコネクタを備える、
ことを特徴とする携帯用電子機器の支持装置。
【請求項４】
請求項１に記載の支持装置において、
前記レバー機構は、
上下動可能に配置され、上部に前記突出部を有するスライド部材と、
前記スライド部材を下方から支持するとともに、前記支点部の回転に連動して上方に移動して前記スライド部材を押し上げる支持部と、前記支点部と、前記被押圧部とが設けられたレバー部材と、を有し、
前記支持装置は、前記スライド部材の移動方向を案内するガイド部を有している、
ことを特徴とする携帯用電子機器の支持装置。
【請求項５】
請求項４に記載の支持装置において、
前記ガイド部は、前記台座に設けられている、
ことを特徴とする携帯用電子機器の支持装置。
【請求項６】
請求項５に記載の支持装置において、
前記台座には、前記支持面から突出するよう配置されるコネクタが設けられ、
前記ガイド部は、前記スライド部材が前記コネクタの突出方向に移動するよう当該スライド部材を案内する、
ことを特徴とする携帯用電子機器の支持装置。
【請求項７】
請求項４に記載の支持装置において、
前記支持部は、前記支点部の半径方向に伸びるよう形成され、
前記スライド部材は、前記支持部と当接する当接部を有し、
前記ガイド部は、前記支点部を中心とした前記支持部の上方への移動時に、前記当接部が前記支持部上を当該支持部の先端に向かって移動するよう、前記スライド部材を支持する、
ことを特徴とする携帯用電子機器の支持装置。
【発明の詳細な説明】
【技術分野】
【０００１】
本発明は、携帯電話や携帯用ゲーム機、カメラなど、携帯用電子機器を支持し、充電等を行う支持装置に関し、特に、支持装置からの電子機器の取り外し作業の作業性を向上する技術に関する。
【背景技術】
【０００２】
従来、携帯電話や携帯用ゲーム機など、携帯用電子機器を支持するとともに、当該電子機器と電気的に接続する支持装置が利用されている（例えば、特許文献１）。このような支持装置は、その上面に、電子機器のコネクタと接続するためのコネクタを有しており、電子機器の充電や、支持装置が接続される外部機器と電子機器との間でのデータの送受信が、コネクタを介して行われている。
【先行技術文献】
【特許文献】
【０００３】
【特許文献１】特開２００７−９６８８３号公報
【発明の概要】
【発明が解決しようとする課題】
【０００４】
従来の支持装置では、電子機器の支持装置からの取り外し作業が繁雑になる場合があった。例えば、支持装置のコネクタが電子機器のコネクタに強く差し込まれている場合には、電子機器が支持装置から分離し難い。このような場合、例えば、一方の手で支持装置を保持し、他方の手で電子機器を持ち上げるといった作業が利用者に必要とされ、円滑な取り外し作業が行われ難かった。
【０００５】
本発明は、上記課題に鑑みてなされたものであって、その目的は、携帯用電子機器の取り外し作業の作業性を向上できる支持装置を提供することにある。
【課題を解決するための手段】
【０００６】
上記課題を解決するために、本発明に係る支持装置は、携帯用電子機器が載置可能な支持面を有する台座と、前記台座の下方に配置されるレバー機構と、を備える。前記台座は、前記レバー機構を押圧するための押圧部を有し、前記支持面上に配置された前記電子機器を支持する第１の位置と、前記押圧部の位置が下がるように動くことによって配置される第２の位置との間を移動可能に支持される。前記レバー機構は、前記押圧部の下に配置され、前記台座の前記第１の位置から前記第２の位置への移動時に、前記押圧部によって押されて下方に移動する被押圧部と、回転可能に支持され、前記被押圧部の下方への移動に連動して回転する支点部と、前記支点部の回転に連動して上下動するよう設けられ、前記被押圧部の下方への移動に起因する前記支点部の回転に連動して上方に移動し、前記台座の前記支持面から突出する突出部と、を有する。
【０００７】
本発明によれば、電子機器の支持装置からの取外しに際して、突出部によって電子機器が押し上げられるため、取外し作業の作業性を向上できる。例えば、支持装置のコネクタが電子機器のコネクタに強く差し込まれている場合であっても、これらのコネクタを容易に分離でき、容易に電子機器を支持装置から取り外すことができる。
【０００８】
また、本発明の一態様では、前記押圧部は前記台座の前側に設けられ、前記台座は、当該台座の前側が下がるように動くことによって前記第２の位置に配置されてもよい。
【０００９】
この態様によれば、台座を第１の位置から第２の位置に移動させることによって、第１の位置に配置される台座によって支持されている電子機器を前方に移動させることができる。その結果、取外し作業の作業性をさらに向上できる。
【００１０】
また、この態様では、前記支持面から上方に突出するよう配置され、前方に傾斜可能に支持されたコネクタが設けられてもよい。こうすることによって、支持装置の利用者は、電子機器を斜め前方に持ち上げることによって電子機器を支持装置から取り外すことができるため、取外し作業の作業性をさらに向上できる。
【００１１】
また、本発明の他の態様では、前記レバー機構は、上下動可能に配置され、上部に前記突出部を有するスライド部材を有する。また、前記レバー機構は、前記スライド部材を下方から支持するとともに、前記支点部の回転に連動して上方に移動して前記スライド部材を押し上げる支持部と、前記支点部と、前記被押圧部とが設けられたレバー部材を有する。そして、支持装置には、前記スライド部材の移動方向を案内するガイド部が設けられてもよい。
【００１２】
この態様によれば、ガイド部がスライド部材を案内する方向に、電子機器を押し上げることができる。
【００１３】
また、この態様では、前記ガイド部は、前記台座に設けられてもよい。これによって、台座に対するスライド部材の移動方向を一定にできる。
【００１４】
また、この態様では、前記台座には、前記支持面から突出するよう配置されるコネクタが設けられ、前記ガイド部は、前記スライド部材が前記コネクタの突出方向に移動するよう当該スライド部材を案内してもよい。こうすることによって、電子機器の支持装置からの取外しに際して、電子機器のコネクタと支持装置のコネクタとを円滑に分離できる。
【００１５】
また、この態様では、前記支持部は、前記支点部の半径方向に伸びるよう形成され、前記スライド部材は、前記支持部と当接する当接部を有してもよい。そして、前記ガイド部は、前記支点部を中心とした前記支持部の上方への移動時に、前記当接部が前記支持部上を当該支持部の先端に向かって移動するよう、前記スライド部材を支持してもよい。レバー部材の回転量に対するスライド部材の移動量は、支持部が、当該支点部寄りの位置でスライド部材を押し上げる場合に比べて、支持部の先端寄りの位置でスライド部材を押し上げる場合の方が大きい。そのため、当接部が支持部上を先端に向かって移動する構造によれば、支持部が、当該支点部よりの位置でのみスライド部材を押し上げる場合に比べて、スライド部材の移動距離を大きくできる。
【図面の簡単な説明】
【００１６】
【図１】本発明の実施形態に係る支持装置の斜視図である。
【図２】上記支持装置が有するレバー機構と、底板の分解斜視図である。
【図３】図１に示すＩＩＩ−ＩＩＩ線での断面図であり、台座が有する支持面部に対して垂直な切断面で支持装置を切断したときに得られる断面図である。
【図４】図３に示すＩＶ−ＩＶ線での断面図である。
【図５】図４の断面図と同じ切断面で上記支持装置を切断したときに得られる断面図である。同図では、上記支持装置が有する台座が、図４に示す位置から回転した後の様子が示されている。
【図６】図３の拡大図であり、上記レバー機構が中心に示されている。
【図７】上記支持装置の断面図であり、同図では、台座が、図６に示す位置から回転した後の様子が示されている。
【図８】図３に示すＶＩＩＩ−ＶＩＩＩ線での断面図である。
【図９】図３に示すＩＸ−ＩＸ線での断面図である。
【図１０】上記台座を斜め下方から臨んだときに得られる斜視図である。
【図１１】上記レバー機構が有するレバー部材の側面図である。同図では、レバー部材とともに、台座及びスライド部材が二点鎖線で示されている。
【図１２】上記レバー部材の動きを説明するための図である。同図（ａ−１）乃至（ａ−３）には上記レバー部材と上記台座とが示されている。同図（ｂ−１）乃至（ｂ−３）は、比較の対象とするレバー部材と上記台座とが示されている。
【図１３】スライド部材とレバー部材の動きを説明するための図である。同図（ａ−１）乃至（ａ−３）では、上記レバー部材と上記スライド部材とが示されている。同図（ｂ−１）乃至（ｂ−３）では、比較の対象とするレバー部材と、上記スライド部材とが示されている。
【図１４】上記台座を斜め下方から臨む斜視図であり、同図では、基板収容室を下方から閉じる下蓋が取り外された様子が示されている。
【図１５】図８の断面図と同じ切断面で支持装置を切断することによって得られる断面図である。同図では、台座が取外し位置に配置され、コネクタが前方に傾斜している様子が示されている。
【図１６】本発明の他の実施形態に係る支持装置の断面図である。同図（ａ）では、台座が支持位置に配置された支持装置が示され、同図（ｂ）では、台座が取外し位置に配置された支持装置が示されている。
【発明を実施するための形態】
【００１７】
以下、本発明の一実施形態について図面を参照しながら説明する。図１は、本発明の実施形態の例である支持装置１の斜視図である。図２は支持装置１が有するレバー機構３と、底板５の分解斜視図である。図３は図１に示すＩＩＩ−ＩＩＩ線での断面図であり、台座２が有する支持面部２１に対して垂直な切断面で支持装置１を切断したときに得られる断面図である。図４は図３に示すＩＶ−ＩＶ線での断面図である。図５は図４の断面図と同じ切断面で支持装置１を切断した時に得られる断面図であり、支持装置１が有する台座２が、図４に示す位置から回転した後の様子が示されている。図６は図３の拡大図であり、レバー機構３が中心に示されている。図７は、支持装置１の断面図であり、台座２が、図６に示す位置から回転した後の様子が示されている。図８は、図３に示すＶＩＩＩ−ＶＩＩＩ線での断面図である。図９は図３に示すＩＸ−ＩＸ線での断面図である。図１０は台座２を斜め下方から臨んだ時に得られる斜視図である。
【００１８】
図１又は図２に示すように、支持装置１は、携帯電話や携帯用ゲーム機などの電子機器１００を立てた状態で支持する装置であり、電子機器１００が載置可能な台座２を有している。また、支持装置１は、台座２の下方に配置される複数のレバー機構３を有している。各レバー機構３は、台座２に対して上下動可能なスライド部材４０と、当該スライド部材４０を上下動させるレバー部材３０とを有している。この例では、支持装置１は２つのレバー機構３を有し、それらは左右方向に離れて配置されている。さらに、支持装置１は、レバー機構３を支持する底板５と、底板５を上方から覆うように配置され、レバー機構３を収容するハウジング６とを有している。
【００１９】
図３、図４及び図１０に示すように、台座２は、下方に開いた左右方向に長い概略箱状の部材であり、台座２の上面を構成し、電子機器１００が載置可能な支持面部２１と、支持面部２１の縁において垂下する一対の側壁２２，２２と、前壁２３と後壁２４とを有している。底板５を覆うハウジング６には、台座２の形状に対応する、左右方向に長い開口６ａが形成されている。台座２は、ハウジング６の開口６ａの内側に配置されており、支持面部２１は開口６ａから露呈している。
【００２０】
台座２は、レバー機構３を下方に押圧するための複数の押圧部２３ａを有している。押圧部２３ａは台座２の前側に位置している。この例では、押圧部２３ａは、前壁２３の下縁２３ｂに、下方に突出するように形成されている（図１０参照）。なお、上述したように、レバー機構３は、左右に離れた２つの位置に配置されており、押圧部２３ａも、前壁２３の下縁２３ｂにおける互いに離れた２つの位置に設けられている。
【００２１】
台座２は、支持面部２１上に配置された電子機器１００を支持する支持位置（図４で示される台座２の位置）と、押圧部２３ａの位置が下がるように動くことによって配置される取外し位置（図５で示される台座２の位置）との間を移動可能に支持されている。この例では、台座２は、当該台座２の前側の位置が上下動可能となるように支持されており、図４に示す支持位置から、台座２の前側の位置が下がることによって取外し位置に配置される。
【００２２】
詳細には、図３又は図１０に示すように、側壁２２には、左右方向に突出し、底板５とハウジング６とによって回転可能に支持される軸部２２ａが形成されている。この例では、底板５の縁には、上方に立つ左右一対の支持壁５１が形成され、支持壁５１の上縁に、軸部２２ａの外径に対応した深さの凹部５１ａが形成されている（図２参照）。軸部２２ａは、この凹部５１ａの内側に配置されている。また、ハウジング６は、下方に伸び、支持壁５１に沿って配置される側壁６１を有し、側壁６１に、支持壁５１の上縁と上下方向に向き合う支持部６１ａが形成されている。支持部６１ａにおける凹部５１ａと対向する部分にも凹部が形成されており、軸部２２ａは、支持部６１ａの凹部と凹部５１ａとの間に配置され、回転可能に支持されている。
【００２３】
図４に示すように、支持位置では、支持面部２１の前側が後側に比べて高くなるように、台座２は斜めに配置される。そのため、台座２は、支持面部２１上に配置される電子機器１００を後方に傾斜させた状態で支持する。なお、ハウジング６は、台座２の後において斜めに立つ後壁６２を有している。支持面部２１上に配置される電子機器１００は、この後壁６２に寄り掛かるように配置される。
【００２４】
軸部２２ａは、概ね側壁２２の中央に位置しており、台座２は軸部２２ａを中心にして動くことによって取外し位置に配置される。すなわち、台座２は、当該台座２の前側の位置が下がるとともに後側の位置が上がるように回転することによって、取外し位置に配置される。図５に示すように、取外し位置では、支持装置１が配置される面に対して支持面部２１が水平になるように、台座２は配置される。すなわち、取外し位置では、支持面部２１は底板５と平行に配置される。
【００２５】
なお、支持装置１の利用者は、支持面部２１上に配置された電子機器１００を動かすことによって、台座２を支持位置から取外し位置に移動させることができる。すなわち、台座２の支持面部２１上に電子機器１００が配置された状態では、支持面部２１は電子機器１００の下面に接している。また、支持装置１は、支持面部２１から上方に突出するコネクタ７１を有している。このコネクタ７１は、電子機器１００の下面に設けられたコネクタ（不図示）に差し込まれ、当該電子機器１００のコネクタと接続している。そのため、利用者が支持面部２１上に配置された電子機器１００を前方に傾けると、台座２は、軸部２２ａを中心にして、その前側が下がるように動く。
【００２６】
図４に示すように、底板５には、当該底板５から立ち上がる壁状に形成され、支持位置に配置される台座２に当接する後ストッパ５２が設けられている。取外し位置から支持位置に向かう方向への台座２の回転時に、後ストッパ５２の上面５２ａは、台座２の下縁に当接して、台座２の支持位置を越える回転を規制している。なお、この例では、底板５には、左右方向に離れて配置される３つの後ストッパ５２が設けられている（図３参照）。また、上面５２ａは、当該上面５２ａの前縁の高さが後縁の高さより高くなるように傾斜しており、台座２が支持位置にある状態では、右側の後ストッパ５２の上面５２ａと、左側の後ストッパ５２の上面５２ａは、側壁２２の下縁に沿っている。
【００２７】
また、図５に示すように、底板５には、当該底板５から立ち上がる壁状に形成され、取外し位置に配置される台座２に当接する前ストッパ５３が設けられている。支持位置から取外し位置に向かう方向への台座２の回転時に、前ストッパ５３の上面５３ａは、台座２の下縁に当接して、台座２の取外し位置を越える回転を規制している。なお、この例では、後ストッパ５２と同様に、左右方向に離れて配置される３つの前ストッパ５３が設けられ（図２参照）、各前ストッパ５３は後ストッパ５２の前方に位置している。また、前ストッパ５３の上面５３ａは、底板５と平行に設けられ、台座２が取外し位置にある状態では、右側の前ストッパ５３の上面５３ａと、左側の前ストッパ５３の上面５３ａは、側壁２２の下縁に沿っている。また、これら左右の前ストッパ５３の間に配置された前ストッパ５３の上面５３ａは、台座２の前壁２３の下縁２３ｂに当接する。
【００２８】
図９又は図１０に示すように、支持装置１には、台座２を支持位置に留めるためのバネ２９が設けられている。バネ２９は、取外し位置から支持位置へ向かう方向（図９では反時計方向）に台座２を付勢している。そのため、台座２は、電子機器１００等からの外力が作用していない状況では、バネ２９の弾性力によって後ストッパ５２に押し付けられ、支持位置に留まっている。この例では、バネ２９は、トーションスプリングによって構成され、当該バネ２９の一端２９ａは支持面部２１の下面に設けられた取付部２１ａに差し込まれ、他端２９ｂは底板５に当っている。また、台座２には、当該台座２の回転中心軸Ｃ１の方向に延伸する支持軸２８ａが設けられ、バネ２９は支持軸２８ａに巻き付けられている。
【００２９】
図３又は図８に示すように、支持装置１は、上述したコネクタ７１と、当該コネクタ７１が取り付けられる回路基板７２とを有している。この例では、コネクタ７１と回路基板７２は、台座２とともに軸部２２ａを中心にして回転するように設けられている。すなわち、台座２には、支持面部２１の下面側に位置する基板収容室２８が設けられ、回路基板７２は基板収容室２８の内側で支持されている。なお、支持装置１は、底板５上に配置される回路基板（不図示）を有し、回路基板７２は、例えば、ＦＦＣ等の可撓性を有するケーブルを介して、底板５上の回路基板に接続される。
【００３０】
回路基板７２は、基板収容室２８の内側で支持面部２１と平行になるように配置されている。コネクタ７１は、回路基板７２に対して垂直に取り付けられている。また、コネクタ７１は、支持面部２１に対して垂直に設けられ、支持面部２１に形成された開口２１ｂから上方に突出している。すなわち、コネクタ７１の挿入方向が、支持面部２１に対して垂直となっている。そのため、図８に示すように、台座２が支持位置にある状態では、コネクタ７１は後方に傾斜している。また、上述したように、台座２は、支持位置から、当該台座２の前側が下がるように回転することによって取外し位置に配置される。そのため、台座２が取外し位置にある状態でのコネクタ７１の後方への傾きは、台座２が支持位置にある状態での傾きに比べて小さくなっている。特に、この例では、台座２が取外し位置に配置された状態では、コネクタ７１は鉛直に配置される。なお、支持装置１では、コネクタ７１と回路基板７２は、台座２から独立してコネクタ７１の前方への傾斜が可能となるように支持されている。コネクタ７１等の支持構造については後において詳説する。
【００３１】
基板収容室２８は、支持面部２１の下面側において左右方向に向き合う一対の内壁２８ｂと、内壁２８ｂに下方から取り付けられる下蓋２８ｃとによって構成されている。下蓋２８ｃは、内壁２８ｂ，２８ｂにボルト７９によって取り付けられ、基板収容室２８を閉じている（図８又は図１０参照）。バネ２９を支持する支持軸２８ａは、内壁２８ｂの側面に設けられている。
【００３２】
レバー機構３について詳細に説明する。上述したように、レバー機構３はレバー部材３０を有している。図１１は、レバー部材３０の側面図である。なお、同図では、レバー部材３０とともに、台座２及びスライド部材４０が二点鎖線で示されている。図２又は図４、図１１に示すように、レバー部材３０には、支点部３１と、被押圧アーム３２と、支持アーム３３とが形成されている。支点部３１は回転可能に支持され、レバー部材３０は、支点部３１の回転中心軸Ｃ２が台座２の回転中心軸Ｃ１と平行になるように配置されている。また、回転中心軸Ｃ２は、回転中心軸Ｃ１の下方であって、当該回転中心軸Ｃ１より前に位置している。
【００３３】
底板５には、当該底板５から立ち上がり、左右方向に向き合う一対のレバー支持部５４，５４が形成されている。レバー部材３０は、レバー支持部５４，５４の間に配置されている。支点部３１は軸状であり、一対のレバー支持部５４，５４よって回転可能に支持されている。詳細には、レバー支持部５４の上縁には支点部３１の外径に対応した凹部が形成されており、支点部３１は、レバー支持部５４の凹部に嵌められ、支持されている。
【００３４】
被押圧アーム３２と支持アーム３３は、支点部３１から、当該支点部３１の半径方向に伸びるよう設けられ、支点部３１を中心にして上下動可能となっている。前後方向における被押圧アーム３２の位置と、支持アーム３３の位置は、支点部３１を挟んで反対側に位置しており、支点部３１を中心とする、被押圧アーム３２と支持アーム３３の上方又は下方への移動は、互いに逆向きとなる。すなわち、図４に示すように、前後方向における支持アーム３３の位置は、支点部３１より後であり、前後方向における被押圧アーム３２の位置は支点部３１より前である。そのため、被押圧アーム３２が支点部３１を中心にして下方に移動する場合には、支持アーム３３は上方に移動する。反対に、被押圧アーム３２が支点部３１を中心にして上方に移動する場合には、支持アーム３３は下方に移動する。
【００３５】
被押圧アーム３２が底板５に対して斜め上方に伸びるよう配置され、支持アーム３３が底板５に沿って配置される位置（以下、非押し上げ位置（図４に示すレバー部材３０の位置）と、被押圧アーム３２が底板５に沿って配置され、支持アーム３３が底板５に対して斜め上方に伸びるよう配置される位置（以下、押し上げ位置（図５に示すレバー部材３０の位置））との間で、レバー部材３０は回転可能となっている。なお、後述するように、レバー部材３０は、非押し上げ位置から押し上げ位置に向かって移動する時に、スライド部材４０を押し上げる。
【００３６】
図２に示すように、底板５は、レバー機構３の前方に、左右方向に延伸する前壁５５を有している。前壁５５には、レバー部材３０が押し上げ位置に配置されている時に、前壁５５と被押圧アーム３２との干渉を避けるための凹部５５ａが形成されている。
【００３７】
被押圧アーム３２は、台座２に設けられた押圧部２３ａの下方に位置し、当該押圧部２３ａに当っており、レバー部材３０は、台座２の動きに連動して回転する。すなわち、台座２の支持位置から取外し位置への移動時に、被押圧アーム３２は、押圧部２３ａによって押されて下方に移動する。その時、支点部３１は、被押圧アーム３２の下方への移動に連動して回転する。また、支持アーム３３は、被押圧アーム３２の移動に起因する支点部３１の回転に連動して、上方に移動する。この様にして、非押し上げ位置に配置されていたレバー部材３０は、押し上げ位置まで移動する。
【００３８】
図１１に示すように、被押圧アーム３２は、当該被押圧アーム３２の上面に、押圧部２３ａと当るスライド面３２ａを有している。このスライド面３２ａの先端３２ｂは、支点部３１から半径方向に離れて位置している。スライド面３２ａは、その基端３２ｃに近づくに従って、支点部３１の回転中心軸Ｃ２との間の距離が小さくなるように伸びており、基端３２ｃと回転中心軸Ｃ２との距離は、先端３２ｂと回転中心軸Ｃ２との距離に比べて小さくなっている。
【００３９】
図４又は図５に示すように、台座２が支持位置にある状態においては、押圧部２３ａはスライド面３２ａの先端３２ｂに当たり、前後方向における基点３２ｃの位置は、押圧部３２ａの位置より後方である。また、支持位置から取外し位置に向かう方向への台座２の回転時に、前後方向における当該押圧部２３ａの位置が後方に移動するように、押圧部２３ａは設けられている。特に、この例では、台座２が支持位置にある状態では、押圧部２３ａの位置は回転中心軸Ｃ１より前方であり、且つ、回転中心軸Ｃ１より低くなっており、取外し位置に向かう台座２の回転時には、前後方向における押圧部２３ａの位置の移動の向きは、常に後方となる。そのため、押圧部２３ａは、台座２の支持位置から取外し位置への移動時に、スライド面３２ａ上を先端３２ｂから基端３２ｃに向かって移動する。
【００４０】
なお、この例では、取外し位置に向かう台座２の回転時、すなわち、レバー部材３０の押し上げ位置に向かう方向への回転時には、前後方向における基点３３ａの位置は、前方に移動する。そのため、台座２の取外し位置に向かう方向への回転時には、押圧部２３ａは、基点３２ｃの前方への移動と、押圧部２３ａの後方への移動とに起因して、スライド面３２ａ上を基点３２ｂに向かって移動する。
【００４１】
押圧部２３ａの下方への移動距離に対するレバー部材３０の回転量は、押圧部２３ａがスライド面３２ａの先端３２ｂ寄りの位置を押圧する場合に比べて、押圧部２３ａが基端３２ｃ寄りの位置を押圧する場合の方が大きい。そのため、押圧部２３ａがスライド面３２ａ上を基端３２ｃに向かって移動する、このような構造では、押圧部２３ａがスライド面３２ａの先端３２ｂ或いはそれに近い位置のみを押し続ける構造に比べて、押圧部２３ａの下方への移動距離、すなわち台座２の回転量に対するレバー部材３０の回転量を大きくできる。
【００４２】
また、この例では、図１１に示すように、スライド面３２ａは、上方に膨らむように僅かに湾曲している。スライド面３２ａがこの様に湾曲することによって、台座２の移動過程（支持位置から取外し位置に達するまでの間）の前半におけるレバー部材３０の回転量が大きくなっている。
【００４３】
図１２は、レバー部材３０の動きを説明するための図である。同図（ａ−１）乃至（ａ−３）には台座２とレバー部材３０とが示されている。同図（ｂ−１）乃至（ｂ−３）は、台座２とレバー部材３０Ａとが示されている。レバー部材３０Ａはレバー部材３０の比較の対象とするレバー部材であり、レバー部材３０Ａが有する被押圧アーム３２Ａのスライド面３２Ａａは、先端３２Ａｂから基端３２Ａｃに向かって直線的に伸びている。同図（ａ−１）及び（ｂ−１）では台座２が支持位置にある状態が示され、同図（ａ−３）及び（ｂ−３）では台座２が取外し位置にある状態が示されている。また、同図（ａ−２）及び（ｂ−２）では、支持位置と取外し位置との間の状態が示され、同図（ａ−２）及び（ｂ−２）に示す台座２の回転位置は等しくなっている。なお、レバー部材３０とレバー部材３０Ａの動きの相違の明瞭化のため、同図（ａ−１）乃至（ａ−３）で示すレバー部材３０のスライド面３２ａの湾曲が強調して描かれている。
【００４４】
同図（ａ−１）及び（ｂ−１）に示すように、台座２が支持位置にある状態では、レバー部材３０Ａの位置と、レバー部材３０の位置は等しくなっている。また、同図（ａ−３）及び（ｂ−３）に示すように、台座２が取外し位置にある状態でも、レバー部材３０Ａの位置と、レバー部材３０の位置は等しくなっている。例えば、支持アーム３３と底板５とがなす角を用いて説明すると、台座２が支持位置にある状態では、支持アーム３３，３３Ａと、底板５とがなす角（同図では、底板５に沿う面である背面３３ｄ，３３Ａｄと底板５とがなす角）は、ともに０度であり、台座２が取外し位置にある状態では、支持アーム３３，３３Ａと、底板５とがなす角は、ともにθ３である。しかしながら、同図（ａ−２）及び（ｂ−２）に示すように、台座２が支持位置と取外し位置との間の位置にある状態では、被押圧アーム３２のスライド面３２ａが上方に湾曲しているため、レバー部材３０の位置は、レバー部材３０Ａの位置に比べて、取外し位置に近くなっている。すなわち、台座２の回転量に対するレバー部材３０の回転量が大きくなっている。支持アーム３３，３３Ａと底板５とがなす角を用いて説明すると、支持アーム３３Ａと底板５とがなす角がθ２Ａである一方で、支持アーム３３と底板５とがなす角はθ２（θ２＞θ２Ａ）となっている。つまり、台座２の支持位置から取外し位置への移動過程の前半におけるレバー部材３０の回転量は、レバー部材３０Ａに比べて大きくなっている。このようにスライド面３２ａの湾曲の態様を変えることによって、レバー部材３０の回転速度を適宜に調整できる。例えば、レバー部材３０では、スライド面３２ａが上方に膨らむよう湾曲しているので、移動過程の前半におけるレバー部材３０の回転速度は、スライド面３２aがそのように湾曲していない形態に比べて、速くなっている。
【００４５】
また、後述するように、支持アーム３３上には、支持アーム３３によって押し上げられて支持面部２１から突出するスライド部材４０が配置されている。スライド面３２ａの湾曲の態様を変えることによって、スライド部材４０の上方への移動速度、及び、スライド部材４０が電子機器１００を押し上げるタイミングを、適宜に調整できる。この例では、スライド面３２ａが上方に膨らむように湾曲しているので、移動過程の前半におけるスライド部材４０の速度は、スライド面３２ａがそのように湾曲していない形態に比べて、速くなっている。
【００４６】
支持アーム３３及びスライド部材４０について説明する。図４に示すように、スライド部材４０は、上下方向に長い概略直方体状の部材である。スライド部材４０は、支持アーム３３上に配置されており、スライド部材４０は、その下端に支持アーム３３に当接する当接部４０ｂを有している。支持アーム３３は、スライド部材４０を下方から支持しており、スライド部材４０の上端に位置する突出部４０ａは、支点部３１の回転、すなわち支持アーム３３の上下動に連動して、上下に移動する。
【００４７】
すなわち、スライド部材４０は、突出部４０ａが台座２に収納される収納位置（図４に示すスライド部材４０の位置）と、支持面部２１に形成された開口２１ｃから突出部４０ａが上方に突出する突出位置（図５に示すスライド部材４０の位置）との間を移動可能に設けられている。そして、被押圧アーム３２の下方への移動に起因して支点部３１が回転し、支持アーム３３が上方へ移動すると、収納位置に配置されていたスライド部材４０は、支持アーム３３によって押し上げられ、突出部４０ａは支持面部２１から上方に突出する。このように、突出部４０ａは、被押圧アーム３２の下方への移動に起因する支点部３１の回転に連動して上方に移動し、支持面部２１から突出する。そして、突出部４０ａが支持面部２１から突出することによって、支持面部２１上に配置される電子機器１００は押し上げられる。
【００４８】
なお、この例では、突出部４０ａの先端は丸められており、突出部４０ａによって電子機器１００を押し上げる際に、電子機器１００をスライド部材４０に対して斜めに配置することができる。また、スライド部材４０が収納位置に配置された状態では、突出部４０ａの先端は、支持面部２１と概ね同じ高さに位置している。
【００４９】
図４、図５又は図１０に示すように、台座２にはガイド部２７が設けられている。このガイド部２７はスライド部材４０の移動方向を案内している。すなわち、ガイド部２７は、収納位置と突出位置との間を移動するようにスライド部材４０を案内している。この例では、ガイド部２７は、支持面部２１に形成された開口２１ｃの縁から下方に伸びる壁状であり、スライド部材４０の側面を囲んでおり、スライド部材４０は、このガイド部２７に沿って上下動可能となっている。また、スライド部材４０は、台座２の回転中心軸Ｃ１上に配置されており、台座２の回転時には、回転中心軸Ｃ１を中心として台座２とともに回転する。
【００５０】
ガイド部２７は、台座２の内側において下方に向かって伸び、支持面部２１に対して垂直に設けられている。そのため、ガイド部２７は、スライド部材４０が支持面部２１に対して垂直に移動するよう当該スライド部材４０を案内する。また、上述したように、コネクタ７１は支持面部２１から上方に突出するとともに、支持面部２１に対して垂直に設けられている。そのため、ガイド部２７は、コネクタ７１の突出方向、すなわちコネクタ７１の挿入方向にスライド部材４０が移動するように、当該スライド部材４０を案内する。
【００５１】
なお、支持装置１には、左右方向に離れて配置される２つのスライド部材４０が設けられ、２つのスライド部材４０の間に、コネクタ７１が配置されている。特に、この例では、スライド部材４０の移動時には、２つのスライド部材４０の突出部４０ａを結ぶ直線上に、コネクタ７１が位置する。そのため、電子機器１００の取り外し作業に際しては、スライド部材４０は、コネクタ７１が間に配置される２つの位置で、電子機器１００を押し上げる。これによって、電子機器１００の取外しに際して、コネクタ７１と、電子機器１００のコネクタとを円滑に分離できる。
【００５２】
また、支持面部２１には、当該支持面部２１から上方に突出し、電子機器１００の下面に形成された穴に嵌る突起７４が設けられている。この突起７４は、電子機器１００を支持面部２１上の正規の位置に案内する。ガイド部２７は、スライド部材４０が突起７４の突出方向に移動するよう当該スライド部材４０を案内する。
【００５３】
図１１に示すように、支持アーム３３は、当該支持アーム３３の上面に、スライド部材４０の当接部４０ｂと当るスライド面３３ａを有している。このスライド面３３ａの先端３３ｂは、支点部３１から、その半径方向に離れて位置している。スライド面３３ａは、その基端３３ｃに近づくに従って、支点部３１の回転中心軸Ｃ２との間の距離が小さくなるように伸びており、基端３３ｃと回転中心軸Ｃ２との距離は、先端３３ｂと回転中心軸Ｃ２との距離に比べて小さくなっている。
【００５４】
ガイド部２７は、支点部３１を中心とした支持アーム３３の上方への移動時に当接部４０ｂがスライド面３３ａ上を先端３３ｂに向かって移動するように、スライド部材４０を支持している。詳細には、ガイド部２７は、台座２が支持位置にある状態において、スライド部材４０を斜めに支持し、当接部４０ｂの位置は、回転中心軸Ｃ１より前方であって当該回転中心軸Ｃ１より低くなっている。そのため、取外し位置へ向かう方向への台座２の回転時には、前後方向における当接部４０ｂの位置は後方に移動する。一方、台座２が支持位置にある状態では、支持アーム３３は支点部３１から後方に延伸し、スライド面３３ａの先端３３ｂは当接部４０ｂより後方に位置している。その結果、台座２の取外し位置への移動時、すなわち、支点部３１を中心とした支持アーム３３の上方への移動時に、当接部４０ｂはスライド面３３ａ上を先端３３ｂに向かって移動する。特に、この例では、台座２が支持位置にある状態では、当接部４０ｂはスライド面３３ａの基端３３ｃ寄りに位置しており、当接部４０ｂは、スライド面３３ａ上を基端３３ｃ寄りの位置から先端３３ｂに向かって移動する。
【００５５】
当接部４０ｂがスライド面３３ａ上を先端３３ｂに向かって移動するこの様な構造によれば、当接部４０ｂが基端３３ｃに近い位置に留まる構造に比べて、スライド部材４０の上方への移動距離を大きくできる。つまり、レバー部材３０の回転量に対応するスライド部材４０の移動距離は、支持アーム３３が基端３３ｃ寄りの位置でスライド部材４０を押し上げる場合に比べて、支持アーム３３が先端３３ｂ寄りの位置でスライド部材４０を押し上げる場合の方が大きい。そのため、当接部４０ｂがこの様に移動する構造によれば、支持アーム３３が、基端３３ｃに近い位置でのみ当接部４０ｂを押し上げる構造に比べて、スライド部材４０の上方への移動距離を大きくできる。
【００５６】
また、この例では、図１１に示すように、スライド面３３ａは、上方に膨らむように僅かに湾曲している。スライド面３３ａが、この様に湾曲することによって、台座２の回転過程の前半、すなわちレバー部材３０の回転過程の前半におけるスライド部材４０の移動距離が大きくなっている。
【００５７】
図１３は、スライド部材４０とレバー部材３０の動きを説明するための図である。同図（ａ−１）乃至（ａ−３）では、レバー部材３０とスライド部材４０とが示され、同図（ｂ−１）乃至（ｂ−３）では、レバー部材３０Ｂとスライド部材４０とが示されている。レバー部材３０Ｂはレバー部材３０の比較の対象とするレバー部材であり、レバー部材３０Ｂが有する支持アーム３３Ｂのスライド面３３Ｂは、先端３２Ｂａから基端３２Ｂｃに向かって直線的に伸びている。また、同図（ａ−１）及び（ｂ−１）ではレバー部材３０，３０ｂが非押し上げ位置にある状態が示され、同図（ａ−３）及び（ｂ−３）ではレバー部材３０，３０Ｂが押し上げ位置にある状態が示されている。また、同図（ａ−２）及び（ｂ−２）では、非押し上げ位置と押し上げ位置との間の状態が示され、同図（ａ−２）及び（ｂ−２）に示す台座２及びレバー部材３０の回転位置は等しくなっている。
【００５８】
同図（ａ−１）及び（ｂ−１）に示すように、レバー部材３０，３０Ｂが非押し上げ位置にある状態では、レバー部材３０上のスライド部材４０の位置と、レバー部材３０Ｂ上のスライド部材４０の位置は、等しくなっている。すなわち、レバー部材３０，３０Ｂが非押し上げ位置にある状態では、突出部４０ａの高さは、支持面部２１の高さと等しくなっている。同様に、レバー部材３０，３０Ｂが押し上げ位置にある状態では、同図（ａ−３）及び（ｂ−３）に示すように、レバー部材３０上のスライド部材４０の位置と、レバー部材３０Ｂ上のスライド部材４０の位置は、等しくなっている。しかしながら、同図（ａ−２）及び（ｂ−２）に示すように、レバー部材３０，３０Ｂが非押し上げ位置と取外し位置との間の位置にある状態では、支持アーム３３のスライド面３３ａが上方に湾曲しているため、レバー部材３０上のスライド部材４０の位置は、レバー部材３０Ｂ上のスライド部材４０の位置に比べて高くなっている。支持面部２１に対する突出部４０ａの高さを用いて説明すると、レバー部材３０Ｂ上のスライド部材４０の突出部４０ａの高さがｈＢであるの一方で、レバー部材３０上のスライド部材４０の突出部４０ａの高さはｈ（ｈ＞ｈＢ）となっている。つまり、スライド面３３ａが上方に湾曲することによって、スライド面３３ａがそのように湾曲していない形態に比べて、レバー部材３０の移動過程の前半におけるスライド部材４０の速度が速くなっており、レバー部材３０の移動過程の前半におけるスライド部材４０の移動距離が大きくなっている。このように、スライド面３３ａの湾曲の態様を変えることによって、スライド部材４０の移動速度、及び、突出部４０ａが電子機器１００を押し上げるタイミングを適宜に調整できる。
【００５９】
また、回転中心軸Ｃ２から、スライド面３３ａの先端３３ｂまでの距離を変えることによって、突出部４０ａの突出量を変えることができる。例えば、図１１の二点差線で示されるスライド面３３ａ−１の先端３３ｂ−１と回転中心軸Ｃ２との距離Ｒ−１は、先端３３ｂと回転中心軸Ｃ２との距離Ｒより大きくなっている。このようにレバー部材３０の形状を変えることによって、レバー部材３０が押し上げ位置にある状態で、先端３３ｂの底板５からの高さが高くなり、突出部４０ａの突出量を増やすことができる。
【００６０】
なお、図１１に示すように、被押圧アーム３２は、スライド面３２ａとは反対側に背面３２ｄを有している。また、支持アーム３３は、スライド面３３ａとは反対側に背面３３ｄを有している。レバー部材３０が押し上げ位置に配置されている状態では、背面３２ｄは、底板５に沿って配置され、背面３３ｄは、底板５に対して傾斜している（図５参照）。一方、レバー部材３０が非押し上げ位置に配置されている状態では、背面３２ｄが底板５に対して傾斜し、背面３３ｄが底板５に沿って配置される（図４参照）。そして、この例では、被押圧アーム３２と支持アーム３３は、背面３２ｄと背面３３ｄとがなす角が鈍角になるように設けられている。これによって、背面３２ｄの位置が最も低くなった時、すなわち、背面３２が底板５に沿うように配置された時に、支持アーム３３の先端３３ｂの高さは最も高くなる。なお、背面３２ｄと背面３３ｄとがなす角が鋭角となるように、被押圧アーム３２と支持アーム３３は設けられてもよい。この様な構造が採用される場合、押し上げ位置に向かう方向へのレバー部材３０の回転時に、支持アーム３３が適正な位置（例えば、先端３３ｂが最も高くなる位置）で留まるように、レバー部材３０の回転を規制するストッパが設けられてもよい。
【００６１】
支持装置１には、図６又は図７に示すように、突出位置から収納位置に向かう方向にスライド部材４０を付勢するバネ４９が設けられている。スライド部材４０には、上方に向かって開いた受け部４２が設けられている。受け部４２と支持面部２１との間にバネ４９が配置され、受け部４２はバネ４９を下方から支持している。レバー部材３０が非押し上げ位置から押し上げ位置に回転する際には、支持アーム３３はバネ４９の弾性力に抗してスライド部材４０を押し上げており、スライド部材４０が突出位置に配置された状態では、スライド部材４０を押し下げる方向（突出位置から収納位置へ向かう方向）の力がスライド部材４０に作用している。
【００６２】
台座２とレバー機構３の動作について説明する。台座２が支持位置から取外し位置に向かって移動すると、押圧部２３ａはレバー部材３０の被押圧アーム３２を押し下げる。これによって、レバー部材３０は、支点部３１を中心にして非押し上げ位置から押し上げ位置に向かって回転する。この時、押圧部２３ａは、被押圧アーム３２のスライド面３２ａを基端３２ｃに向かって移動する。レバー部材３０が回転すると、支持アーム３３は、その上に配置されたスライド部材４０を押し上げる。その結果、突出部４０ａは、支持面部２１上に配置されている電子機器１００を押し上げ、支持面部２１より高い位置まで移動する。この時、スライド部材４０の当接部４０ｂは、支持アーム３３のスライド面３３ａを先端３３ｂに向かって移動する。電子機器１００が支持装置１から取り外されると、バネ４９がスライド部材４０を押し下げる。その結果、レバー部材３０は、押し上げ位置から非押し上げ位置に向かって回転し、被押圧アーム３２が押圧部２３ａを押し上げる。そして、台座２は、取外し位置から支持位置に向かって回転する。
【００６３】
コネクタ７１及び回路基板７２を基板収容室２８内で支持する構造について説明する。図１４は、台座２を斜め下方から臨む斜視図であり、同図では、基板収容室２８を下方から閉じる下蓋２８ｃが取り外された様子が示されている。また、図１５は、図８の断面図と同じ切断面で支持装置１を切断することによって得られる断面図である。上述したように、支持装置１では、コネクタ７１及び回路基板７２は、前方への傾斜が可能となるように支持されている。図１５では、台座２が取外し位置に配置され、コネクタ７１が前方に傾斜している様子が示されている。
【００６４】
回路基板７２は、基板収容室２８内において、当該回路基板７２の前側の位置の上下動が可能となるように支持されている。詳細には、基板収容室２８内には、回路基板７２が載せられる受け台２６が配置されている。回路基板７２はこの受け台２６に固定されている。図３、図９又は図１４に示すように、受け台２６には、台座２の回転中心軸Ｃ１の方向に突出する軸部２６ａ,２６ａが形成されており、この軸部２６ａが内壁２８ｂと下蓋２８ｃとによって回転可能に支持されている。この例では、内壁２８ｂの下縁には凹部２８ｄが形成され、軸部２６ａは凹部２８ｄに配置されている。また、図９又は図１０に示すように、下蓋２８ｃの縁には、上方に立つ側壁２８ｅが形成されており、軸部２６ａは、側壁２８ｅの上縁と凹部２８ｄとによって回転可能に支持されている。
【００６５】
そして、軸部２６ａを中心として受け台２６が回転することによって、回路基板７２が支持面部２１に対して傾くことができる。すなわち、受け台２６と回路基板７２は、支持面部２１と平行に配置される位置（以下、水平位置（図８に示す回路基板７２と受け台２６の位置））と、回路基板７２の前側が後側に比べて低くなる位置（傾斜位置（図１５に示す回路基板７２と受け台２６の位置））との間を、移動可能となるように支持されている。その結果、コネクタ７１は、支持面部２１に対して垂直に配置される位置と、支持面部２１に対して前方への傾斜する位置との間を移動可能となっている。
【００６６】
上述したように、台座２は、その前側の位置が下がるように軸部２２ａを中心にして回転することによって取外し位置に配置される。また、台座２が取外し位置に配置された後においても、台座２とは独立して、コネクタ７１の前方への傾斜が許容されている。これによって、支持装置１の利用者は、電子機器１００を支持装置１から取り外す際に、電子機器１００を斜め前方に持ち上げることができ、取外し作業の作業性を向上できる。例えば、収納ラックなど、上下方向に十分なスペースが確保しがたい場所に、支持装置が配置されている場合には、電子機器を支持装置から真上に持ち上げる作業が行い難い。支持装置１では、コネクタ７１が、前方への傾斜が可能となるように支持されており、そのような狭い場所での取外し作業の作業性を向上できる。
【００６７】
なお、図８に示すように、下蓋２８ｃには、水平位置に配置される受け台２６の後側の下面に当接する後ストッパ２８ｆが設けられている。後ストッパ２８ｆは、水平位置を越える受け台２６及び回路基板７２の動きを規制している。すなわち、受け台２６及び回路基板７２の傾斜位置から水平位置へ向かう方向への移動時に、後ストッパ２８ｆは、受け台２６及び回路基板７２が水平位置を越えて移動することを規制する。また、図１５に示すように、下蓋２８ｃには、傾斜位置に配置される受け台２６の前側の下面に当接する前ストッパ２８ｈが設けられている。前ストッパ２８ｈは、傾斜位置を越える受け台２６の動きを規制している。すなわち、受け台２６及び回路基板７２の水平位置から傾斜位置へ向かう方向への移動時に、後ストッパ２８ｆは、受け台２６及び回路基板７２が傾斜位置を越えて移動することを規制する。
【００６８】
図８又は図１５に示すように、支持装置１には、受け台２６と回路基板７２とを、水平位置に留めるためのバネ２５が設けられている。バネ２５は、傾斜位置から水平位置に向かう方向（図８又は図１５において反時計方向）に受け台２６を付勢している。そのため、受け台２６は、電子機器１００等からの力がコネクタ７１を介して作用していない状況では、バネ２５の弾性力によって後ストッパ２８ｆに押し付けられ、水平位置に留まっている。
【００６９】
この例では、バネ２５は、２つの位置にコイル部２５ａを有するトーションスプリングによって構成されている。コイル部２５ａは、内壁２８ｂから左右方向に突出する支持軸２８ｉに巻かれている。バネ２５の端部２５ｂは、支持面部２１の下面に設けられた取付部２１ｄに差し込まれている。バネ２５の中途部２５ｃは受け台２６の前側に下方から当っている。バネ２５は、内壁２８ｂに形成された凹部２８ｊを通って基板収容室２８内に伸びている。
【００７０】
以上説明した支持装置１では、台座２は、支持面部２１上に配置された電子機器１００を支持する支持位置と、押圧部２３ａの位置が下がるように動くことによって配置される取外し位置との間を移動可能に支持されている。また、レバー機構３は、押圧部２３ａの下に配置され、台座２の支持位置から取外し位置への移動時に、押圧部２３ａによって押されて下方に移動する被押圧アーム３２と、回転可能に支持され、被押圧アーム３２の下方への移動に連動して回転する支点部３１と、支点部３１の回転に連動して上下動するよう設けられ、被押圧アーム３２の下方への移動に起因する支点部３１の回転に連動して上方に移動し、支持面部２１から突出する突出部４０ａとを有している。このような支持装置１によれば、電子機器１００の支持装置１からの取外しに際して、突出部４０ａによって電子機器１００が押し上げられる。そのため、コネクタ７１が電子機器１００のコネクタに強く差し込まれている場合であっても、これらのコネクタを容易に分離でき、取外し作業の作業性を向上できる。
【００７１】
なお、本発明は以上説明した支持装置１に限られず、種々の変更が可能である。例えば、以上説明した支持装置１では、レバー機構３は、レバー部材３０と、スライド部材４０とによって構成され、支持面部２１から突出する突出部４０ａはスライド部材４０に設けられていた。しかしながら、突出部はレバー部材に設けられてもよい。
【００７２】
図１６は、このような形態に係る支持装置１０１の断面図である。図１６（ａ）では、台座２が支持位置に配置された支持装置１０１が示され、図１６（ｂ）では、台座２が取外し位置に配置された支持装置１０１が示されている。これらの図において、以上説明した箇所と同一箇所には同一符号を付し、その説明を省略する。
【００７３】
同図に示すように、支持装置１０１は、レバー機構として、レバー部材１３０を有している。レバー部材１３０は、レバー部材３０と同様に、被押圧アーム１３２と、支点部１３１とを有している。また、レバー部材１３０は、押し上げアーム１３３を有し、押し上げアーム１３３は、その先端に突出部１３３ａを有している。押し上げアーム１３３と被押圧アーム１３２は、支点部１３１を挟んで反対側に設けられており、押し上げアーム１３３は、支点部１３１を中心にして被押圧アーム１３２とは反対方向に移動する。
【００７４】
図１６（ａ）に示すように、台座２が支持位置に配置されている状態では、突出部１３３ａは台座２に収納されている。台座２が支持位置から取外し位置に移動すると、被押圧アーム１３２は、押圧部２３ａに押されて下方に移動する。この時、支点部１３１は、図１６（ｂ）に示すように、被押圧アーム１３２の下方への移動に連動して回転し、押し上げアーム１３３は、支点部１３１を中心にして上方に移動する。その結果、台座２が取外し位置に配置された状態では、押し上げアーム１３３の先端に位置する突出部１３３ａは支持面部２１から上方に突出する。以上が支持装置１０１の説明である。
【００７５】
また、以上説明した支持装置１では、台座２は、支持位置から、当該台座２の前側が低くなるとともに、後側が高くなるように動くことによって、取外し位置に配置されていた。しかしながら、台座２の動きはこのような動きに限られない。例えば、台座２は、その後側の高さが概ね維持される一方で、前側の位置が低くなるように動くことによって、取外し位置に配置されてもよい。この場合、台座２を支持する軸部２２ａは、例えば、側壁２２の後側に形成される。
【００７６】
なお、以上の説明で用いた方向は、支持装置１が有する各部材、各部の位置関係を表すための相対的な方向である。そのため、支持装置１が設置される面を基準として、各部材、各部の位置関係を解釈する場合には、以上の説明で用いた方向は、当該面の向きに応じて適宜に変更して解釈する必要がある。
【符号の説明】
【００７７】
１，１０１  支持装置、２  台座、３  レバー機構、５  底板、６  ハウジング、２１  支持面部（支持面）、２２  側壁、２３  前壁、２３ａ  押圧部、２４  後壁、２６  受け台、２７  ガイド部、２８  基板収容室、３０，１３０  レバー部材、３１，１３１  支点部、３２，１３２  被押圧アーム（被押圧部）、３３  支持アーム（支持部）、４０  スライド部材、４０ａ  突出部、４０ｂ  当接部、５４  支持部、７１  コネクタ、７２  回路基板、Ｃ１  台座の回転中心軸、Ｃ２  レバー部材の回転中心軸、１００  電子機器、１３３  押し上げアーム、１３３ａ  突出部。
【図１】
2010200423.tif 000003
【図２】
2010200423.tif 000004
【図３】
2010200423.tif 000005
【図４】
2010200423.tif 000006
【図５】
2010200423.tif 000007
【図６】
2010200423.tif 000008
【図７】
2010200423.tif 000009
【図８】
2010200423.tif 000010
【図９】
2010200423.tif 000011
【図１０】
2010200423.tif 000012
【図１１】
2010200423.tif 000013
【図１２】
2010200423.tif 000014
【図１３】
2010200423.tif 000015
【図１４】
2010200423.tif 000016
【図１５】
2010200423.tif 000017
【図１６】
2010200423.tif 000018